(57)【要約】【課題】アコースティックギターの胴体表面板に良好な振動がより多く伝わるようにする【解決手段】従来のアコースティックギターのブリッジはサドル部分と弦止め装置が一体になっていて、弦を引っ張る力が甲板の振動を妨げているのでサドル部分と弦止め部分を分離固着する。表面板裏側のブレーシングパターンを改良する。【選択図】図１
2019045828.tif 000002
【特許請求の範囲】
【請求項１】
アコースティックギター胴体の表面板であって、該表面板の表面にサドルと弦止めが分離して取り付けられているとともに、前記サドルは前記表面板の長手方向と直角になる様に取り付けられ、前記弦止めは前記サドルとの間隔は前記弦止め幅の１，５倍以上の間隔をあけて反糸巻き側に平行に取り付けられてなるアコースティックギター胴体の表面板。
【請求項２】
前記表面板の裏面にそれぞれ長さ及び形の異なる主ブレーシング材と副ブレーシング材が前記サドルを中心として放射状に取り付けられているとともに、前記主ブレーシング材は縦用主ブレーシング材と横用主ブレーシング材の２本で構成されて、十字形に組み合わされており、前記横用主ブレーシングの高音部側が前記弦楽器胴体の枠板に架設するように取り付けられていて、主ブレーシング材及び副ブレーシング材のすべてのブレーシング材の前記表面板の裏面への取り付け面は外側に膨らんだ曲線形になっていることを特徴とする請求項１のアコースティックギター胴体の表面板。
【発明の詳細な説明】
【技術分野】
【０００１】
本発明は弦楽器の１つであるアコースティックギターに関し、詳しくは胴体の表面板、表面ブリッジと表面板、裏面のブレーシング配置に関するものである。
【背景技術】
【０００２】
アコースティックギターの構成は上部に弦を巻き上げる糸巻きが装着されたネックがあり、下部に弦を止めるブリッジが固着された胴体部があって。胴体部は表面板、裏面板、側板の組み合わせで箱状になっている。
【０００３】
前記アコースティックギターの表面板、表面に固着されているブリッジはサドルと弦止めが一体になっているが、例外としてヤイリギターカタログ９８年版９ページに記載の  WEIR=!ENモデルがある。このギターのサドルと弦止めは５ｍｍほどの間隔をおいて固着されている。
【０００４】
アコースティックギターの表面板の裏面には補強材としてブレーシングが固着されていて、特許文献１の図面で見られるような配置で付けられている場合が多い。その特徴は主ブレーシングがX形で、胴体枠に最低６カ所架設固着されて表板の剛性を維持する構造になっている。
【先行技術文献】
【特許文献】
【０００５】
【特許文献１】特開２００８−０５２０５４
【非特許文献】
【０００６】
【非特許文献１】ヤイリギターカタログ９８年版９ページ  WEIR=!ENモデル
【発明の概要】
【発明が解決しようとする課題】
【０００７】
前記表面板、表面に固着されたブリッジの欠点は、調弦時の弦を引っ張る力は梃の働きで表板が撓むほど強いので、その力に耐える剛性を表板に与えるために剛性の強いブレーシングが表面板、裏面に固着されている。
前記WEIR=!ENモデルも特許文献１の図面で見られるようなブレーシング配置で表板の剛性が強い構造が採用されている。
【０００８】
ところが、前記Xブレーシングには弦から発せられた音振動を表面板全体に伝える役目があるが、表面板には弦の張力に耐える剛性があるため、繊細な音振動を表面板全体に伝える機能に欠ける課題がある。
【課題を解決するための手段】
【０００９】
本発明は上記課題を解決するためになされたもので、請求項１に記載のアコースティックギター胴体の表面板は、アコースティックギター胴体の表面板であって、該表面板の表面にサドルと弦止めが分離して取り付けられているとともに、前記サドルは前記表面板の長手方向と直角になる様に取り付けられ、前記弦止めは前記サドルとの間隔は前記弦止め幅の１，５倍以上の間隔をあけて反糸巻き側に平行に取り付けられてなる。
【００１０】
請求項２に記載のアコースティックギター胴体の表面板は、前記表面板の裏面にそれぞれ長さ及び形の異なる主ブレーシング材と副ブレーシング材が前記サドルを中心として放射状に取り付けられているとともに、前記主ブレーシング材は縦用主ブレーシング材と横用主ブレーシング材の２本で構成されて、十字形に組み合わされており、前記横用主ブレーシングの高音部側が前記アコースチィックギター胴体の枠板に架設するように取り付けられていて、主ブレーシング材及び副ブレーシング材のすべてのブレーシング材の前記表面板の裏側への取り付け面は外側に膨らんだ曲線形になっていることを特徴とする。
【発明の効果】
【００１１】
本発明は、上記手段を採用したので、調弦時弦を引くとき、梃の働きで後が浮き上がり、前が沈む現象が抑制され、表板の撓む力を抑えることができ、繊細な音振動をより素直に表面板を伝えることが出来るようになる。
【００１２】
ブレーシングについては配置に特徴があり、基本はブリッジ真裏の中心から放射状に固着するが一か所だけ音のバランスを取る為にブリッジ裏の横用主ブレーシングの高音部だけ胴体部に架けて固着してあり、副ブレーシングは中心になる部分が高く放射状の先端は低くなっているので、音振動の広がりが自然である。
【００１３】
上述したように本発明はアコースチィックギター表面板に柔軟性
を持つことが可能になり、素直で繊細な音楽を表現出来る。
【図面の簡単な説明】
【００１４】
【図１】表面板表面図（実線部分）
【図２】表面板裏面図
【図３】副ブレーシング横面図
【図４】主ブレーシング（横用）横面図
【図５】主ブレーシング（縦用）横面図
【発明を実施するための形態】
【００１５】
以下本発明の実施の形態を図１〜図５に基づいて説明する。
【００１６】
図においては、１図は表面板、表面１で、定位置にサドル４を設置、弦止め５の幅の１．５倍以上の間隔をあけて弦止め５を固着。
２図は表面板、裏面２で中心部に主ブレーシング７，８が十字形に固着され、主ブレーシング７の高音部Hは胴体枠１０に架け接着。副ブレーシング９は主ブレーシング７，８の上下左右に放射状に固着する。弦止め補強板６は表面１に固着した弦止め５の裏面に固着。
３，４，５図は各ブレーシングの横面図で接着面は表面板１を膨らませる目的で緩い曲面になっている。
【００１７】
以下上記構成を説明する。調弦時弦の張力で表面板が撓む現象  をサドル４と弦止め５を分割して部材が細くなり、また間隔を保つ事で梃の働きを解消できるのでブレーシング７，８，９が表面板の振動を制御するだけに配置されているので雄大で繊細な演奏表現ができる。
【００１８】
体感音圧、音域、音量が増すので一回り小さい胴体のアコースチィックギターでも充分演奏を楽しむことが出来る。
【符号の説明】
【００１９】
H、高音部
L、低音部
１  表面板表面
２  表面板裏面
３  サウンドホール
４  サドル
５  弦止め
６  弦止め用裏側補強板
７  主ブレーシング（横）
８  主ブレーシング(縦)      
９  副ブレーシング
１０  主ブレーシング（横）の胴体部架設接着箇所
【図１】
2019045828.tif 000003
【図２】
2019045828.tif 000004
【図３】
2019045828.tif 000005
【図４】
2019045828.tif 000006
【図５】
2019045828.tif 000007
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
アコースティックギター胴体の表面板であって、該表面板が弦張力による撓みを防ぐために、表面にサドルと弦止め分離して取り付けられているとともに、前記サドルは前記表面板の長手方向と直角になる様に取り付けられ、前記弦止めは前記サドルとの間隔は前記弦止め材料幅の１，５倍以上の間隔をあけて取り付けられてなるアコースティックギター胴体の表面板。
【請求項２】
前記表面板の裏面にそれぞれのスペースに合わせて長さの異なる主ブレーシング材と副ブレーシング材が前記サドルの裏面を中心として放射状に取り付けられているとともに、前記主ブレーシング材は縦用主ブレーシング材と横用主ブレーシング材の２本で構成されて、十字形に組み合わされておりその中心は前記サドルの裏面になる、又前記横用主ブレーシングの高音部側が前記弦楽器胴体の枠板に架設するように取り付けられていて、主ブレーシング材及び副ブレーシング材のすべてのブレーシング材の前記表面板の裏面への取り付け面は外側に膨らんだ曲線形になっていることを特徴とする請求項１のアコースティックギター胴体の表面板。